(57)【要約】【課題】被接続部の側方に周壁部が設けられている場合であっても、端子の接続部を被接続部に接続できる端子を提供する。【解決手段】本開示の端子は、相手側部材に接続される端子であって、前記相手側部材は、前記端子が接続される被接続部と、前記被接続部の周縁から第１方向に延出された周壁部と、を備え、前記端子は、接続部と、起立部と、側壁部と、を備え、前記接続部は前記被接続部に接続され、前記起立部は前記接続部の外縁から前記第１方向に起立し、前記側壁部は前記起立部のうち前記第１方向に延びる側縁から側方に延出されており、前記接続部における前記被接続部と接続される下面から前記側壁部の基端までの高さ寸法は、前記周壁部の高さ寸法よりも大きい。【選択図】図２
2020155309.tif 000002
【特許請求の範囲】
【請求項１】
相手側部材に接続される端子であって、
前記相手側部材は、前記端子が接続される被接続部と、前記被接続部の周縁から第１方向に延出された周壁部と、を備え、
前記端子は、接続部と、起立部と、側壁部と、を備え、
前記接続部は前記被接続部に接続され、前記起立部は前記接続部の外縁から前記第１方向に起立し、前記側壁部は前記起立部のうち前記第１方向に延びる側縁から側方に延出されており、
前記接続部における前記被接続部と接続される下面から前記側壁部の基端までの高さ寸法は、前記周壁部の高さ寸法よりも大きい、端子。
【請求項２】
前記起立部の平面と前記側壁部の平面とは同一平面を構成し、前記側壁部は、前記第１方向とは直交する第２方向に延出されており、前記側壁部は、電線に圧着される圧着部を有しており、前記圧着部は、前記起立部を基準として前記接続部が配置される側と同じ側に配置されている、請求項１に記載の端子。
【請求項３】
前記側壁部は、前記圧着部と前記起立部とをつなぐつなぎ部を有し、前記つなぎ部の高さ寸法は、前記起立部の高さ寸法よりも小さい、請求項２に記載の端子。
【発明の詳細な説明】
【技術分野】
【０００１】
本開示は、端子に関する。
【背景技術】
【０００２】
特許文献１には、機器等にねじ止めされるターミナルが記載されている。ターミナルは、機器等の端子接続部に固定される固定部と、電線の端末に圧着接続される電線圧着部と、を一体形成したものである。
【先行技術文献】
【特許文献】
【０００３】
【特許文献１】特開平１０−２２３２８０号公報
【発明の概要】
【発明が解決しようとする課題】
【０００４】
機器等において端子接続部の側方に周壁部が設けられている場合、端子が周壁部に干渉し、ターミナルの固定部を端子接続部に固定することができない。
【課題を解決するための手段】
【０００５】
本開示の端子は、相手側部材に接続される端子であって、前記相手側部材は、前記端子が接続される被接続部と、前記被接続部の周縁から第１方向に延出された周壁部と、を備え、前記端子は、接続部と、起立部と、側壁部と、を備え、前記接続部は前記被接続部に接続され、前記起立部は前記接続部の外縁から前記第１方向に起立し、前記側壁部は前記起立部のうち前記第１方向に延びる側縁から側方に延出されており、前記接続部における前記被接続部と接続される下面から前記側壁部の基端までの高さ寸法は、前記周壁部の高さ寸法よりも大きい。
【発明の効果】
【０００６】
本開示によれば、被接続部の側方に周壁部が設けられている場合であっても、端子の接続部を被接続部に接続できる端子を提供することが可能となる。
【図面の簡単な説明】
【０００７】
【図１】図１は、実施形態にかかる端子の斜視図である。
【図２】図２は、端子が相手側部材に接続された状態を説明する図である。
【発明を実施するための形態】
【０００８】
［本開示の実施形態の説明］
最初に本開示の実施態様を列記して説明する。
本開示の端子は、
（１）相手側部材に接続される端子であって、前記相手側部材は、前記端子が接続される被接続部と、前記被接続部の周縁から第１方向に延出された周壁部と、を備え、前記端子は、接続部と、起立部と、側壁部と、を備え、前記接続部は前記被接続部に接続され、前記起立部は前記接続部の外縁から前記第１方向に起立し、前記側壁部は前記起立部のうち前記第１方向に延びる側縁から側方に延出されており、前記接続部における前記被接続部と接続される下面から前記側壁部の基端までの高さ寸法は、前記周壁部の高さ寸法よりも大きい。
起立部が設けられたことによって側壁部が接続部から離れて配置されるから、端子の接続部が相手側部材の被接続部に接続される際に、側壁部が周壁部に干渉することを回避できる。これにより、端子の接続部を相手側部材の被接続部に接続することができる。
【０００９】
（２）また、前記起立部の平面と前記側壁部の平面とは同一平面を構成し、前記側壁部は、前記第１方向とは直交する第２方向に延出されており、前記側壁部は、電線に圧着される圧着部を有しており、前記圧着部は、前記起立部を基準として前記接続部が配置される側と同じ側に配置されていることが好ましい。
一対のバレルが電線に圧着されることで端子付き電線が構成される。ここで、接続部と圧着部が同じ側に配置されているため、端子付き電線が大型化することを回避できる。
【００１０】
（３）また、前記側壁部は、前記圧着部と前記起立部とをつなぐつなぎ部を有し、前記つなぎ部の高さ寸法は、前記起立部の高さ寸法よりも小さいことが好ましい。
一般に圧着を行うと、形状が安定しにくいため、寸法精度が悪くなる。したがって、つなぎ部は圧着部よりも高い寸法精度で形成できることになる。そこで、上記の構成によると、周壁部との干渉を回避する箇所がつなぎ部となることで、つなぎ部が周壁部に干渉することを確実に回避できる。
【００１１】
［本開示の実施形態の詳細］
本開示の端子の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００１２】
図１に示すように、端子１０は、接続部１２と、起立部１４と、側壁部１６と、を備えて構成されている。以降の説明では、図１、図２においてＤ１の矢線が示す方向を上下方向における上方向（第１方向）とする。また、図１、図２においてＤ２の矢線が示す方向を左右方向における右方向（第１方向と直交する第２方向）とする。また、上下方向および左右方向の双方と直交する方向を前後方向とする。
【００１３】
図１に示すように、接続部１２は板状をなしている。接続部１２における平面の中央には、締結孔１２Ａが開口している。
【００１４】
図１に示すように、起立部１４は、接続部１２における外縁１２Ｂから上方に起立して設けられている。ここで、接続部１２の外縁１２Ｂとは、接続部１２の外周縁のうち左右方向に延びる側縁のことである。外縁１２Ｂは、展開状態の端子を折り曲げることによって形成されているため、直線状をなしている。また、図２に示すように、外縁１２Ｂの右端は接続部１２の右端１２Ｃよりも左方に位置している。起立部１４における平面１４Ａには、係止孔１４Ｂが開口して設けられている。
【００１５】
図１に示すように、側壁部１６は、起立部１４の上方に延びる側縁１４Ｃから右方に延出されている。起立部１４における平面１４Ａと側壁部１６における平面１６Ａとは同一平面を構成している。図２に示すように、接続部１２の右端１２Ｃは、左右方向において起立部１４の側縁１４Ｃと揃うように位置しているのに対して（図２における点線Ｖ参照）、接続部１２における外縁１２Ｂの右端は、起立部１４の側縁１４Ｃよりも左方に位置している。
【００１６】
図１に示すように、側壁部１６は、圧着部１８と、つなぎ部２０と、を備えて構成されている。つなぎ部２０は、圧着部１８および起立部１４の双方に連なっている。これにより、つなぎ部２０は圧着部１８と起立部１４とをつないでいる。
【００１７】
図１に示すように、圧着部１８は、一対のインシュレーションバレル部１８Ａと、一対のワイヤバレル部１８Ｂと、を備えて構成されている。一対のインシュレーションバレル部１８Ａは、図示しない電線の被覆に圧着される。一対のワイヤバレル部１８Ｂは、図示しない電線の芯線に圧着される。これにより、端子付き電線（図示せず）が構成される。圧着部１８（インシュレーションバレル部１８Ａおよびワイヤバレル部１８Ｂ）は、起立部１４を基準として接続部１２が配置される側と同じ側（図１において、起立部１４を基準として紙面手前側）に配置されている。これにより、端子付き電線が前後方向について大型化することを回避できる。
【００１８】
図２に示すように、端子１０は、相手側部材２２に接続される。相手側部材２２は、上方に開口する形状をなしている。相手側部材２２における底壁部は、端子１０の接続部１２と接続される被接続部２４とされる。被接続部２４には、上方に突出するスタッドボルト２４Ａが設けられている。スタッドボルト２４Ａには、接続部１２の締結孔１２Ａが挿通されている。スタッドボルト２４Ａに接続部１２の締結孔１２Ａが挿通された状態で、図示しないナットがスタッドボルト２４Ａに取り付けられる。これにより、接続部１２の下面１２Ｄは、被接続部２４に接触し、被接続部２４に接続される。
【００１９】
図２に示すように、相手側部材２２には、被接続部２４における周縁２４Ｂから上方に延出された周壁部２６が設けられている。この周壁部２６によって、被接続部２４は側方（前後左右方向）から囲まれている。相手側部材２２における周壁部２６のうち、右方の周壁部２６Ａは、その他の周壁部２６と比較して、高さ寸法が小さくなっている。
【００２０】
図２に示すように、接続部１２の下面１２Ｄからつなぎ部２０の下端までの高さ（すなわち、接続部１２の下面１２Ｄから側壁部１６の基端１６Ｂまでの高さ）の寸法Ｔ１は、周壁部２６Ａの高さ寸法Ｔ２よりも大きくなっている。これにより、端子１０の接続部１２が相手側部材２２の被接続部２４に接続される際に、側壁部１６が周壁部２６Ａに干渉することを回避できる。また、つなぎ部２０における高さ寸法Ｔ３は、起立部１４における高さ寸法Ｔ４よりも小さくなっている。これにより、つなぎ部２０の高さ位置を側壁部１６の高さの範囲内で調整することが可能となる。一般に圧着を行うと、形状が安定しにくいため、寸法精度が悪くなる。したがって、つなぎ部２０は圧着部１８よりも高い寸法精度で形成できることになる。そこで、周壁部２６Ａとの干渉を回避する箇所がつなぎ部２０となることで、つなぎ部２０が周壁部２６Ａに干渉することを確実に回避できる。これにより、端子１０の接続部１２を相手側部材２２の被接続部２４に確実に接続することができる。
【００２１】
端子１０が相手側部材２２に接続された状態で、端子１０にカバー２８（図１に示す）が装着される。カバー２８には図示しないロックアームが設けられている。図示しないロックアームにおける突部が、端子１０における起立部１４の係止孔１４Ｂに入り込むことにより、カバー２８は端子１０に抜け止め状態で固定される。
【００２２】
＜他の実施形態＞
（１）上記実施形態では、側壁部１６は、圧着部１８とつなぎ部２０とを備える構成としたが、これに限られることはなく、例えば、側壁部は圧着部のみ備える構成としても良い。この場合、圧着部は側壁部と直に連なることとなる。また、圧着部の下方に右方の周壁部が位置することとなる。
（２）上記実施形態では、端子１０にはカバー２８が装着される構成としたが、これに限られることはなく、例えば、端子にはカバーが装着されない構成であっても良い。
（３）上記実施形態では、相手側部材２２には、右方の周壁部２６Ａおよびその他の周壁部２６が設けられる構成としたが、例えば、右方の周壁部のみ設けられる構成としても良い。
【符号の説明】
【００２３】
１０：端子
１２：接続部
１２Ａ：締結孔
１２Ｂ：外縁
１２Ｃ：右端
１２Ｄ：下面
１４：起立部
１４Ａ：平面
１４Ｂ：係止孔
１４Ｃ：側縁
１６：側壁部
１６Ａ：平面
１６Ｂ：基端
１８：圧着部
１８Ａ：インシュレーションバレル部
１８Ｂ：ワイヤバレル部
２０：つなぎ部
２２：相手側部材
２４：被接続部
２４Ａ：スタッドボルト
２４Ｂ：周縁
２６、２６Ａ：周壁部
２８：カバー
Ｔ１、Ｔ２、Ｔ３、Ｔ４：寸法
【図１】
2020155309.tif 000003
【図２】
2020155309.tif 000004